(57)【特許請求の範囲】
【請求項１】
ジメチルシロキサンとトリフルオロプロピルメチルシロキサンとのコポリマーを含む油性潤滑剤と、
ヒュームドシリカを含む流動改質剤と、
塩化セチルピリジウム、セトリミド、アレキシジン、二酢酸クロルヘキシジン、塩化ベンズアルコニウムおよびｏ−フタルアルデヒドからなる群から選択される抗菌剤と、
を含み、
前記流動改質剤は、前記油性潤滑剤１００重量部に対し、０．２重量部から３０重量部の量で含まれ、
前記抗菌剤は、前記油性潤滑剤１００重量部に対し、０．５重量部から５０重量部の量で含まれる、
ことを特徴とする医療デバイス表面被覆用抗菌性潤滑剤組成物。
【請求項２】
前記油性潤滑剤は、５００００ｃｐｓ以下の粘度を有することを特徴とする請求項１に記載の抗菌性潤滑剤組成物。
【請求項３】
１００重量部の前記油性潤滑剤において０．２重量部から２０重量部の量の流動改質剤を含むことを特徴とする請求項１に記載の抗菌性潤滑剤組成物。
【請求項４】
１００重量部の前記油性潤滑剤において０．２重量部から１０重量部の量の流動改質剤を含むことを特徴とする請求項１に記載の抗菌性潤滑剤組成物。
【請求項５】
１００重量部の前記油性潤滑剤において０．５重量部から３０重量部の量の抗菌剤を含むことを特徴とする請求項１に記載の抗菌性潤滑剤組成物。
【請求項６】
１００重量部の前記油性潤滑剤において０．５重量部から２０重量部の量の抗菌剤を含むことを特徴とする請求項１に記載の抗菌性潤滑剤組成物。
【請求項７】
ジメチルシロキサンとトリフルオロプロピルメチルシロキサンとのコポリマーを含む油性潤滑剤と、
ヒュームドシリカを含む流動改質剤と、
塩化セチルピリジウム、セトリミド、アレキシジン、二酢酸クロルヘキシジンおよび塩化ベンズアルコニウムからなる群から選択される抗菌剤と、
を含み、
前記流動改質剤は、前記油性潤滑剤１００重量部に対し、０．２重量部から３０重量部の量で含まれ、
前記抗菌剤は、前記油性潤滑剤１００重量部に対し、０．５重量部から５０重量部の量で含まれる、
ことを特徴とする医療デバイス表面被覆用抗菌性潤滑剤組成物。
【発明の詳細な説明】
【技術分野】
【０００１】
本発明は、抗菌性組成物および様々な医学的用途においてそれらの組成物を使用するための方法に関する。近代の医学的治療の主な課題の１つは、微生物の感染および蔓延の抑制である。
【背景技術】
【０００２】
この課題が常に提起される１つの分野は、様々な種類の点滴治療にある。点滴治療は、最も一般的な医療処置の１つである。入院患者、自宅看護患者および他の患者は、血管系に挿入された血管アクセスデバイスを介して液体、医薬および血液製剤を受ける。感染を治療し、麻酔もしくは鎮痛を提供し、栄養補助を提供し、癌成長を治療し、血圧および心臓律動性を維持するために、または多くの他の臨床的に有意な用途のために点滴治療を使用することができる。
【０００３】
点滴治療は、血管アクセスデバイスによって促進される。血管アクセスデバイスは、患者の末梢または中枢血管系にアクセスすることができる。血管アクセスデバイスは、短期間（数日間）、中期間（数週間）または長期間（数カ月間から数年間）にわたって留置することができる。血管アクセスデバイスを連続的点滴治療または断続的治療のために使用することもできる。
【０００４】
一般的な血管アクセスデバイスは、患者の静脈に挿入されるプラスチックカテーテルである。カテーテルの長さは、末梢アクセスのための数センチメートルから中枢アクセスのための多センチメートルの範囲であってよく、末梢挿入中枢カテーテル（ＰＩＣＣ）などのデバイスを含むことができる。カテーテルは経皮的に挿入することができ、または患者の皮膚の下に外科移植することができる。カテーテル、またはそれに装着された任意の他の血管アクセスデバイスは、単一の管腔、または多くの液体を同時に注入するための複数の管腔を有することができる。
【０００５】
血管アクセスデバイスは、一般には、他の医療デバイスを装着できるルアーアダプタを含む。例えば、投与セットを血管アクセスデバイスの一端に装着し、静脈（ＩＶ）袋を他端に装着することができる。投与セットは、液体および医薬の連続注入のための液体導管である。一般に、ＩＶアクセスデバイスは、別の血管アクセスデバイスに装着することができ、血管アクセスデバイスを閉鎖し、液体および医薬の断続的注入または注射を可能にする血管アクセスデバイスである。ＩＶアクセスデバイスは、筐体および系を閉鎖するための隔膜を含むことができる。隔膜をブラントカニューレまたは医療デバイスの雄型ルアーで開放することができる。
【０００６】
血管アクセスデバイスの隔膜が適正に動作できないか、または不十分な設計特徴を有する場合は、特定の併発症が起こり得る。点滴治療に伴う併発症は、重大な罹患およびさらには死亡を引き起こし得る。１つの重大な併発症は、カテーテル関連血流感染（ＣＲＢＳＩ）である。米国の病院では推定で年間２５００００〜４０００００件の中枢静脈カテーテル（ＣＶＣ）関連ＢＳＩが発生している。
【０００７】
血管アクセスデバイスは、汎発性ＢＳＩ（血流感染）をもたらす感染の核として作用し得る。これは、定期的にデバイスを洗浄することを怠ること、非無菌挿入技術、またはカテーテル挿入後に流路のいずれかの端部を介して液体流路に入る病原体によって引き起こされ得る。血管アクセスデバイスが汚染されると、病原体は、血管アクセスデバイスに接着し、コロニー形成し、生物膜を形成する。生物膜は、大抵の殺生剤に対して抵抗性を有し、患者の血流に入ってＢＳＩを引き起こす病原体の補給源を提供する。したがって、抗菌性を有するデバイスが必要とされる。
【０００８】
生物膜形成および患者感染を防止する１つの手法は、抗菌性コーティングを様々な医療デバイスおよび構成要素に設けることである。多くの医療デバイスは、金属材料またはポリマー材料で構成されている。これらの材料は、通常、高摩擦係数を有する。通常、低摩擦係数を有する低分子量材料または液体を材料のバルクに混入させるか、または基板の表面上に塗布して、デバイスの機能を助ける。
【０００９】
過去３５年間にわたって、熱可塑性ポリウレタン溶液を抗菌性コーティングの担体として使用することが慣例であった。溶媒は、通常、テトラヒドロフラン（ＴＨＦ）、ジメチルホルムアミド（ＤＭＦ）、または両者のブレンドである。ＴＨＦは、非常に迅速に酸化することができ、非常に強い爆発性を有する傾向があるため、高価な防爆のコーティング設備が必要である。これらの強過ぎる溶媒は、また、ポリウレタン、シリコーン、ポリイソプレン、ブチルゴムポリカーボネート、硬質ポリウレタン、硬質ポリ塩化ビニル、アクリルおよびスチレン−ブタジエンゴム（ＳＢＲ）を含む、広く使用されているポリマー材料の多くを攻撃する。したがって、これらの材料で構成された医療デバイスは、経時的に変形し、かつ／またはそれらの表面に微小亀裂を形成し得る。この種のコーティングについての別の問題は、溶媒が完全に熱蒸発するのにほぼ２４時間かかることである。よって、従来の技術は、処理、性能およびコストに関して根強い問題がある。
【００１０】
当該デバイスの使用に対する別の制限は、微生物成長を抑制するのに使用される好適な抗菌剤の一般的な入手可能性である。医療デバイスに最も広く使用される抗菌剤の１つが銀である。銀塩および銀元素は、医療外科業界および全般的な産業の両方において周知の抗菌剤である。それらは、通常、ポリマーバルク材料に含められるか、またはプラズマ、熱蒸着、電気メッキ、もしくは従来の溶媒コーティング技術によって医療デバイスの表面に塗布される。これらの技術は、単調で、高価で、環境的に優しくない。
【００１１】
加えて、銀コーティング医療デバイスの性能は、せいぜい月並みである。例えば、銀塩または銀元素から電離した銀イオンが抗菌剤として一定の効果を達成するまで８時間までの時間を要し得る。その結果、銀コーティングが一様に効果的になる前に実質的な微生物活性が生じ得る。また、銀化合物または銀元素は、濃琥珀色から黒色の不快な色を有する。
【００１２】
この種の血管アクセスデバイスは、潤滑剤を必要とするか、またはその使用の恩恵を受け得る。隔膜の作動を容易にするために潤滑剤をデバイスの可動部分に塗布することができる。しかし、従来の潤滑剤を用いると、細菌および他の微生物も潤滑剤に滞留し得る。従来の潤滑剤は、微生物の成長および増殖を防止または有意に阻害することを目的としない。実際、従来の潤滑剤は、微生物の拡散に一役を担い得る。
【００１３】
よって、当該技術分野において、様々な種類の医療デバイス、および特に点滴治療に関連するデバイスに抗菌機能を付与するための改良された方法が必要である。具体的には、様々な種類の医療デバイスと併用することができる効果的な抗菌性潤滑剤が必要である。微生物の増殖を防止するのに役立つとともに、接触する微生物を撲滅するのに有用かつ有効であり得る潤滑剤が必要である。
【発明の概要】
【発明が解決しようとする課題】
【００１４】
本発明は、現在利用可能な抗菌性組成物および方法によってまだ十分に解決されていない当該技術分野での問題および必要性に対応して開発された。したがって、これらの組成物および方法は、医療デバイスと併用される改良された抗菌性組成物および方法を提供することによって、ＣＲＢＳＩのリスクおよび発生などの問題を軽減するために開発された。
【課題を解決するための手段】
【００１５】
以上に言及したように、特定の種類の医療デバイスは、円滑かつ効果的に動作するために潤滑剤を必要とする。デバイスが１つの位置から別の位置に反復的に移動される場合は、潤滑剤がしばしば採用される。この種のデバイスの１つの例は、上記の種類のＩＶアクセスデバイスである。これらのデバイスは、例えば、反復的に作動される内部隔膜を有することができる。例えば、隔膜をブラントカニューレまたは医療デバイスの雄型ルアーで開放することができる。カニューレまたはルアーが除去されると、隔膜は、その本来の閉鎖構造に戻らなければならない。したがって、デバイスの円滑かつ確実な作動を容易にするために潤滑剤を採用することができる。
【００１６】
その結果、一態様において、本発明は、抗菌性を有し、医療デバイスに使用することを目的とする潤滑剤を含む。本発明の潤滑剤は、上記の種類のニードルレス弁のような静脈内アクセスデバイスに対して特に有用である。医療デバイスは、それ自体がポリマー基板、特にエラストマー基板（例えば、ポリウレタン、シリコーン、ポリイソプレン、ブチルゴム）で構成される。それらの表面は、そのマトリックス全体に均一に分散された抗菌剤を含む潤滑剤で被覆される。抗菌剤は、マトリックスを拡散し、潤滑剤表面と接触する微生物を撲滅することが可能である。
【００１７】
本発明における潤滑剤の配合物は、１つまたは複数の油性潤滑剤、場合による流動改質剤および抗菌剤の混合物または組合せで構成される。混合物において、抗菌剤のナノまたはミクロサイズの粒子は、潤滑剤マトリックス全体に均一かつ恒久的に分散される。得られた混合物の特性を制御するために、必要に応じて流動改質剤が使用される。潤滑剤配合物は無溶媒である。したがって、ＴＨＦおよびＤＭＦなどの強過ぎる溶媒を使用した場合の上記問題が回避される。
【００１８】
油性潤滑剤は、ポリジメチルシロキサン、ポリトリフルオロプロピルメチルシロキサン、またはジメチルシロキサンとトリフルオロプロピルメチルシロキサンとのコポリマーであり得る。これらの材料は５００００ｃｐｓ未満の粘度を有することが好ましい。
【００１９】
以上に言及したように、いくつかの実施形態において、以上に挙げた材料に流動改質剤を添加することが好ましい。当該流動改質剤の例としては、オルガノクレイ（有機変性されたクレイ）、キャスター蝋、ポリアミド蝋、ポリウレタンおよびヒュームドシリカが挙げられる。潤滑剤および抗菌剤と相溶性がある任意の流動改質剤が、組成物における使用に許容可能である。
【００２０】
抗菌剤は、また、潤滑剤組成物に添加される。抗菌剤は、潤滑剤配合物の他の成分と相溶性がある任意の薬剤であってよい。加えて、抗菌剤は、先行技術の一定の制限を克服することが好ましい。いくつかの実施形態において、抗菌剤をアルデヒド、アニリド、ビグアニド、銀元素もしくはその化合物、ビスフェノール、第四級アンモニウム化合物、塩化セチルピリジウム、セトリミド、アレキシジン、二酢酸クロルヘキシジン、塩化ベンズアルコニウムおよびｏ−フタルアルデヒドからなる群から選択することができる。
【００２１】
本発明のいくつかの実施形態において、発明の抗菌性潤滑剤を製造するために、これらの成分を均一に混合する。したがって、製造および処理は、比較的容易かつ安価である。また、抗菌剤は、潤滑剤マトリックスに均一に分散されるため、マトリックスから徐々に拡散する。これにより、微生物が抑制され、特に、潤滑剤表面と接触する微生物が撲滅される。
【００２２】
したがって、本発明は、医療デバイスと併用すると効果的である抗菌性潤滑剤を提供する。潤滑剤は、医療デバイスの効果的な潤滑性を提供すると同時に、有意な抗菌性を提供する。潤滑剤は、処理および配合を複雑にする強過ぎる溶媒または他の化学薬品を用いずに配合される。加えて、抗菌剤が、潤滑剤を介して拡散し、微生物活性の部位に達するように容易に利用可能であるため、配合物は、抗菌剤として有効である。
【図面の簡単な説明】
【００２３】
本発明の上記特徴および他の特徴ならびに利点を取得する方法を容易に理解するために、添付の図面に示されるその具体的な実施形態を参照することによって、以上に簡単に記載した本発明のより具体的な説明を提示する。この図面は、本発明の典型的な実施形態のみを示すため、本発明の範囲を限定するものと見なされるべきでない。
【００２４】
【図１】本発明によるカテーテル組立品の実施形態の斜視図である。
【発明を実施するための形態】
【００２５】
図１を参照すると、血管アクセスデバイス（血管外デバイス、静脈内アクセスデバイス、アクセスポート、および／または血管外システムに装着されるか、それとともに機能する任意のデバイスとも称する）１０を使用して、物質を、カテーテル１２を介して皮膚１４に通して、患者１８の血管１６に導入する。血管アクセスデバイス１０は、管腔を有する本体２０および管腔内に配置された隔膜２２を含む。隔膜２２は、それを介してシリンジなどの分離血管外デバイス２６が物質を血管アクセスデバイス１０に導入できるスリット２４を有する。
【００２６】
デバイス１０は、また、デバイスの動作を容易にするとともに、微生物の成長および増殖を阻害するために、隔膜２２に塗布された抗菌性潤滑剤４０を含む。潤滑剤は、カテーテル１２およびカテーテル１２の端部３２を含む血管アクセスデバイス１０、および／または血管アクセスデバイス１０が接続される血管外システム２８内の微生物病原体を防ぐのに役立つ。
【００２７】
病原体は、いくつかの方法のいずれかでデバイス１０またはシステム２８に進入し得る。例えば、病原体は、最初の使用前にデバイス１０またはシステム２８内に滞留し得る。病原体は、また、分離デバイス２６の先端３０などの構造体が隔膜２２のスリット２４を介してデバイス１０に挿入されると、デバイスの外面、分離デバイス２６の外面および／または周囲環境からデバイス１０に導入され得る。病原体は、分離デバイス２６からシステムに注入される液体内に導入され得る。最終的に、病原体は、デバイス１０の使用時に血液採取または血液還流中にカテーテル１２の端部３２を介して進入することによって血管１６からシステム２８に導入され得る。微生物病原体は、病原体、細菌、寄生虫、病原菌、生物膜、真菌、ウィルス、病原体、原虫および／または他の有害な微生物を飼養するタンパク質、および／またはそれらの媒介物および生成物を含めて、患者の血管系に受容されると疾患を引き起こすか、またはそれとは別な形で患者に害を及ぼすか、もしくは害を及ぼす可能性を有する任意の物質を含む。
【００２８】
上述のように、本発明の抗菌性潤滑剤を油性潤滑剤；流動改質剤；および抗菌剤で構成することができる。油性潤滑剤は、それが塗布される選定された医療デバイスを潤滑することが可能な任意の材料である。本明細書に記載の種類のデバイスの多くについては、油性潤滑剤は、一般に、ポリジメチルシロキサン、ポリトリフルオロプロピルメチルシロキサン、およびジメチルシロキサンとトリフルオロプロピルメチルシロキサンとのコポリマーからなる群から選択される。いくつかの好適な実施形態において、油性潤滑剤は、ジメチルシロキサンとトリフルオロプロピルメチルシロキサンとのコポリマーである。いくつかの実施形態において、油性潤滑剤は、５００００ｃｐｓ以下、好ましくは１０００ｃｐｓ以下の粘度を有する。
【００２９】
抗菌性潤滑剤組成物は、１つまたは複数の流動改質剤を含むこともできる。一部の好適な実施形態において、流動改質剤は、１００重量部の油性潤滑剤において約０．２から約３０重量部の量で添加される。他の好適な実施形態において、潤滑剤組成物は、１００重量部の油性潤滑剤において約０．２から約２０重量部の量の流動改質剤を含むことができる。他の好適な実施形態において、潤滑剤組成物は、１００重量部の油性潤滑剤において約０．２から約１０重量部の量の流動改質剤を含むことができる。
【００３０】
上述のように、一部の実施形態において、流動改質剤は、オルガノクレイ剤、キャスター蝋、ポリアミド蝋、ポリウレタンおよびヒュームドシリカからなる群から選択される。場合によっては、ヒュームドシリカが好適であり得る。しかし、要望に応じて他の流動改質剤を使用することができる。
【００３１】
組成物は、１つまたは複数の抗菌剤を含むこともできる。抗菌剤は、抗菌性潤滑剤組成物の他の成分と相溶性を有するように選択される。また、抗菌剤は、抗菌性潤滑剤組成物が塗布される医療デバイスと相溶性がある。
【００３２】
一般に、抗菌剤は、１００重量部の油性潤滑剤において約０．５から約５０重量部の量で抗菌性潤滑剤組成物に存在する。一部の他の実施形態において、抗菌剤は、１００重量部の油性潤滑剤において約０．５から約３０重量部の量で存在することができる。一部の他の実施形態において、抗菌剤は、１００重量部の油性潤滑剤において約０．５から約２０重量部の量で存在することができる。
【００３３】
許容可能な抗菌剤としては、アルデヒド、アニリド、ビグアニド、ビスフェノールおよび第四級アンモニウム化合物が挙げられるが、それらに限定されない。一部の実施形態において、抗菌剤を塩化セチルピリジウム、セトリミド、アレキシジン、二酢酸クロルヘキシジン、塩化ベンズアルコニウムおよびｏ−フタルアルデヒドからなる群から選択することができる。
【００３４】
要約すると、一部の実施形態において、抗菌性潤滑剤組成物を、ポリジメチルシロキサン、ポリトリフルオロプロピルメチルシロキサン、およびジメチルシロキサンとトリフルオロプロピルメチルシロキサンとのコポリマーからなる群から選択される潤滑剤；オルガノクレイ剤、キャスター蝋、ポリアミド蝋、ポリウレタンおよびヒュームドシリカからなる群から選択される流動改質剤；塩化セチルピリジウム、セトリミド、アレキシジン、二酢酸クロルヘキシジン、塩化ベンズアルコニウムおよびｏ−フタルアルデヒドからなる群から選択される抗菌剤から配合することができる。
【００３５】
実施例
【実施例１】
【００３６】
表１は、異なる潤滑剤配合物の接触撲滅率および阻害域を示す。表１に示されるように、銀元素（１０）および銀化合物（３、４および５）は、いずれも８時間後まで比較的低い接触撲滅率を有する。塩化セチルピリジウム、セトリミド、アレキシジン、二酢酸クロルヘキシジンおよび塩化ベンズアルコニウムは、いずれも１分以内に有意な接触撲滅率を有する。
【００３７】
【表１】
0006022771.tif 000002
【００３８】
注１．潤滑剤配合物：
Ｍｅｄ．−４６０（３５０ｃｐｓ）
流動改質剤：Ｍ−５
（１種または複数の）抗菌剤
【００３９】
注２．（１種または複数の）抗菌剤
サンプル＃
１．二酢酸クロルヘキシジン
２．アレキシジン
３．銀スルファジアジン
４．酢酸銀
５．クエン酸銀水和物
６．セトリミド
７．塩化セチルピリジウム
８．塩化ベンズアルコニウム
９．ｏ−フタルアルデヒド
１０．銀元素
【００４０】
注３．病原菌
Ｓ．ｅｐｉｄｅｒ：表皮ブドウ球菌
Ｐ．ａｅｒｕｇ：緑膿菌
Ｃ．ａｌｂｉｃａｎｓ：カンジダアルビカンス
【００４１】
注４．ＮＤ＝データなし、すべての病原菌が撲滅された
（調製例）
【実施例２】
【００４２】
最初の試験データに基づいて、潤滑剤の発明の１つの好適な実施形態を以下のように調製することができる。
１．（１種または複数の）潤滑剤−Ｎｕｓｉｌ Ｓｉｌｉｃｏｎｅ Ｔｅｃｈｎｏｌｏｇｙ（カリフォルニア州Ｃａｒｐｉｎｔｅｒｉａ）のＭｅｄ−４６０、３５０ｃｐｓ
２．（１種または複数の）流動改質剤−Ｃａｂｏｔ Ｃｏｒｐｏｒａｔｉｏｎ（イリノイ州Ｔｕｓｃｏｌａ）のヒュームドシリカ
３．（１種または複数の）抗菌剤−塩化セチルピリジウム、セトリミド、アレキシジン、二酢酸クロルヘキシジンまたは塩化ベンズアルコニウム。
（参考例３）
【実施例３】
【００４３】
表２は、異なる潤滑剤組成物の接触撲滅率および阻害域を示す。サンプル１〜５は、３５０ｃｐｓの粘度を有するポリジメチルシロキサンで構成される潤滑剤Ｍｅｄ．−３６０を含んでいた。抗菌剤を以下のように変更した。
１．二酢酸クロルヘキシジン
２．セトリミド
３．塩化セチルピリジウム
４．塩化ベンズアルコニウム
５．ｏ−フタルアルデヒド
【００４４】
【表２】
0006022771.tif 000003
（参考例４）
【実施例４】
【００４５】
表３は、異なる潤滑剤組成物の接触撲滅率および阻害域を示す。サンプル６〜１０は、１０００ｃｐｓの粘度を有するポリジメチルシロキサンで構成される潤滑剤Ｍｅｄ．−３６０を含んでいた。抗菌剤を以下のように変更した。
６．二酢酸クロルヘキシジン
７．セトリミド
８．塩化セチルピリジウム
９．塩化ベンズアルコニウム
１０．ｏ−フタルアルデヒド
【００４６】
【表３】
0006022771.tif 000004
（参考例５）
【実施例５】
【００４７】
表４は、異なる潤滑剤組成物の接触撲滅率および阻害域を示す。サンプル１１〜１５は、３５０ｃｐｓの粘度を有するポリトリフルオロプロピルメチルシロキサンで構成される潤滑剤Ｍｅｄ．−４００を含んでいた。抗菌剤を以下のように変更した。
１１．二酢酸クロルヘキシジン
１２．セトリミド
１３．塩化セチルピリジウム
１４．塩化ベンズアルコニウム
１５．ｏ−フタルアルデヒド
【００４８】
【表４】
0006022771.tif 000005
（参考例６）
【実施例６】
【００４９】
表５は、異なる潤滑剤組成物の接触撲滅率および阻害域を示す。サンプル１６〜２０は、１０００ｃｐｓの粘度を有するポリトリフルオロプロピルメチルシロキサンで構成される潤滑剤Ｍｅｄ．−４００を含んでいた。抗菌剤を以下のように変更した。
１６．二酢酸クロルヘキシジン
１７．セトリミド
１８．塩化セチルピリジウム
１９．塩化ベンズアルコニウム
２０．ｏ−フタルアルデヒド
【００５０】
【表５】
0006022771.tif 000006
（参考例７）
【実施例７】
【００５１】
表６は、異なる潤滑剤組成物の接触撲滅率および阻害域を示す。サンプル２１〜２５は、３５０ｃｐｓの粘度を有するジメチルシロキサンとトリフルオロプロピルメチルシロキサンとのコポリマーで構成される潤滑剤Ｍｅｄ．−４２０を含んでいた。抗菌剤を以下のように変更した。
２１．二酢酸クロルヘキシジン
２２．セトリミド
２３．塩化セチルピリジウム
２４．塩化ベンズアルコニウム
２５．ｏ−フタルアルデヒド
【００５２】
【表６】
0006022771.tif 000007
（参考例８）
【実施例８】
【００５３】
表７は、異なる潤滑剤組成物の接触撲滅率および阻害域を示す。サンプル２６〜３０は、１０００ｃｐｓの粘度を有するジメチルシロキサンとトリフルオロプロピルメチルシロキサンとのコポリマーで構成される潤滑剤Ｍｅｄ．−４２０を含んでいた。抗菌剤を以下のように変更した。
２６．二酢酸クロルヘキシジン
２７．セトリミド
２８．塩化セチルピリジウム
２９．塩化ベンズアルコニウム
３０．ｏ−フタルアルデヒド
【００５４】
【表７】
0006022771.tif 000008
（参考例９）
【実施例９】
【００５５】
表８は、異なる潤滑剤組成物の接触撲滅率および阻害域を示す。サンプル３１〜３５は、１０００ｃｐｓの粘度を有するジメチルシロキサンとトリフルオロプロピルメチルシロキサンとのコポリマーで構成される潤滑剤Ｍｅｄ．−４６０を含んでいた。抗菌剤を以下のように変更した。
３１．二酢酸クロルヘキシジン
３２．セトリミド
３３．塩化セチルピリジウム
３４．塩化ベンズアルコニウム
３５．ｏ−フタルアルデヒド
【００５６】
【表８】
0006022771.tif 000009
【００５７】
５００００ｃｐｓ未満の粘度を有する潤滑剤が一般に好適であることも理解されるであろう。当該潤滑剤は、以下の通りであってよい。５００００ｃｐｓ未満の粘度を有するポリジメチルシロキサン；５００００ｃｐｓ未満の粘度を有するトリフルオロプロピルコポリマーポリシロキサン；および５００００ｃｐｓ未満の粘度を有するジメチルシロキサンとトリフルオロプロピルメチルシロキサンとのコポリマー。
【００５８】
以上に言及したように、流動改質剤は、オルガノクレイ、キャスター蝋、ポリアミド蝋、ポリウレタン、ヒュームドシリカ等であり得る。改質剤の量は、１００重量部の潤滑剤において３０重量部未満、好ましくは２０重量部未満、最も好ましくは１００重量部の潤滑剤において０．２から１０重量部であるべきである。
【００５９】
抗菌剤は、それらの配合物に対して、アルデヒド、アニリド、ビグアニド、銀元素もしくはその化合物、ビスフェノールおよび第四級アンモニウム化合物であり得る。いくつかの好適な実施形態において、抗菌剤は、塩化セチルピリジウム、セトリミド、および塩化ベンズアルコニウム、アレキシジンまたは二酢酸クロルヘキシジンであり得る。抗菌剤の量は、１００重量部の潤滑剤において５０重量部未満、好ましくは３０重量部未満、最も好ましくは１００重量部の潤滑剤において０．５から２０重量部であるべきである。
【００６０】
本発明を、本明細書および以降の特許請求の範囲に広く記載されるその構造、方法または他の実質的な特徴から逸脱することなく、他の具体的な形で具現化することができる。記載の実施形態は、あらゆる点において、単なる例示であり、限定的でないものと見なされるべきである。したがって、本発明の範囲は、先述の説明でなく、添付の請求項によって示される。特許請求の範囲と同等の意味および範囲内にあるすべての変更が、それらの範囲内に包含されることになる。
【図１】
0006022771.tif 000010